(57)【要約】【課題】片面側からのレーザ光の照射により情報が記録され得る複数の記録層をそなえた光記録媒体において、各記録層に信号特性の良好な信号を形成することが出来る最適な記録方法を提供する。【解決手段】片面側から記録レーザを照射して複数の記録層に対して情報信号となる長さｎＴ（ｎは４以上、１４以下の自然数、Ｔは基準クロック周期）のマークを形成する光記録媒体の記録方法において、少なくともマークの始端領域を形成するためのファーストパルスと、マークの終端領域を形成するためのラストパルスとを用いて記録用レーザをパルス状に照射して長さｎＴのマークを形成する場合に、ファーストパルスの前エッジの位置及び／又は前記ラストパルスの後エッジの位置をマークの長さに応じて変化させてマークを形成する。【選択図】    図４
2005071396.tif 000002
【特許請求の範囲】
【請求項１】
片面側から記録用レーザを照射して複数の記録層に対して情報信号となる長さｎＴ（ｎは４以上、１４以下の自然数、Ｔは基準クロック周期）のマークを形成する光記録媒体の記録方法において、
少なくとも前記マークの始端領域を形成するためのファーストパルスと、前記マークの終端領域を形成するためのラストパルスとを用いて前記記録用レーザをパルス状に照射して長さｎＴのマークを形成する場合に、前記ファーストパルスの前エッジの位置及び／又は前記ラストパルスの後エッジの位置を前記マークの長さに応じて変化させてマークを形成することを特徴とする、光記録媒体の記録方法。
【請求項２】
前記マーク長が長くなるに従って前記ファーストパルスの前エッジの位置を補正してパルス幅を長くすることを特徴とする、請求項１記載の光記録媒体の記録方法。
【請求項３】
前記マーク長が長くなるに従って前記ラストパルスの後エッジの位置を補正してパルス幅を短くすることを特徴とする、請求項１又は２記載の光記録媒体の記録方法。
【請求項４】
前記ラストパルスに対応する前記記録用レーザのパルス成分よりも前記ファーストパルスに対応する前記記録用レーザのパルス成分の最大パワーを大きくすることを特徴とする、請求項１〜３のいずれか１項に記載の光記録媒体の記録方法。
【請求項５】
前記記録用レーザの入射位置に対して最も近い記録層以外の記録層に前記マークを形成することを特徴とする、請求項１〜４のいずれか１項に記載の光記録媒体の記録方法。
【請求項６】
前記記録用レーザの入射位置に対して最も近い記録層に前記マークを形成することを特徴とする、請求項１〜４のいずれか１項に記載の光記録媒体の記録方法。
【請求項７】
前記マークのうち長さ５Ｔ以上のマークを形成する際に、さらに前記マークの中間領域を形成するためのマルチパルスを用いて前記記録用レーザを照射することを特徴とする、請求項１〜６のいずれか１項に記載の光記録媒体の記録方法。
【請求項８】
前記記録層が色素含有記録層であることを特徴とする、請求項１〜７のいずれか１項に記載の光記録媒体の記録方法。
【請求項９】
複数の記録層を有する光記録媒体の片面側から記録用レーザ光を入射させてそれぞれの記録層に所望の長さのマークを形成して情報を記録する光記録媒体の記録装置であって、
他の記録層を介してパルス状の記録用レーザ光を照射して前記マークを形成する場合、前記マークの長さに応じて前記マークの始端領域を形成するためのファーストパルスのパルス幅及び／又は前記マークの終端領域を形成するためのラストパルスのパルス幅を変化させるように構成されることを特徴とする、光記録媒体の記録装置。
【請求項１０】
複数の記録層を有する光記録媒体の片面側から記録用レーザ光を入射させてそれぞれの記録層に所望の長さのマークを形成して情報を記録する光記録媒体の記録装置であって、
他の記録層を介さずにパルス状の記録用レーザ光を照射して前記マークを形成する場合、前記マークの長さに応じて前記マークの始端領域を形成するためのファーストパルスのパルス幅及び／又は前記マークの終端領域を形成するためのラストパルスのパルス幅を変化させるように構成されることを特徴とする、光記録媒体の記録装置。
【請求項１１】
パルス状の記録用レーザ光を照射して前記マークを形成する場合、アシンメトリの値が所望の範囲内になるように記録レーザ光のパワーを調整するように構成されることを特徴とする、請求項９又は１０記載の光記録媒体の記録装置。
【発明の詳細な説明】
【０００１】
【発明の属する技術分野】
本発明は、光記録媒体の記録方法及び記録装置に関し、より詳しくは、高密度記録可能な複数の記録層を有する光記録媒体の記録方法及び記録装置に関する。
【０００２】
【従来の技術】
現在、ＣＤ−Ｒ，ＣＤ−ＲＷ，ＭＯ等の各種光記録媒体は、大容量の情報を記憶でき、ランダムアクセスが容易であるために、コンピュータのような情報処理装置における外部記憶装置として広く認知され普及しつつある。このような光記録媒体では、取り扱う情報量の増大に伴って、記憶密度を高めることが望まれている。
【０００３】
種々の光記録媒体の中でもＣＤ−Ｒ，ＤＶＤ−Ｒ，ＤＶＤ＋Ｒなど、有機色素を含む記録層（色素含有記録層ともいう）を有する光記録媒体（光ディスク）は、比較的安価で、且つ、再生専用の光記録媒体との互換性を有するため、特に広く用いられている。
一例として、色素含有記録層を有する光ディスクとして代表的な片面型ＤＶＤ−Ｒについて説明する。なお、ＤＶＤ＋Ｒは、ＤＶＤ−Ｒとほぼ同じ構成であるため、ＤＶＤ−Ｒの説明で代表させる。
【０００４】
片面型ＤＶＤ−Ｒは、第１の透明ディスク基板上に色素含有記録層、反射層、これらを覆う保護層をこの順に有し、さらに保護層の上に接着層を介して或いは介さずに、第２のディスク基板（透明でも不透明でも良い）上に必要に応じ反射層を形成したいわゆるダミーディスクを設けた積層構造であり、第１の透明ディスク基板を通して片面側からレーザ光にて記録層に情報信号となるマークを形成し、記録・再生を行なうものである。ダミーディスクは透明又は不透明のディスク基板のみの場合もあるし、反射層以外の層を設ける場合もある。
【０００５】
また、光記録媒体の記録容量を更に大容量化するために、上記のような片面型ＤＶＤ−Ｒを貼り合わせて２つの記録層を有する光記録媒体とし、両面側から各記録層にレーザ光を照射して記録・再生を行なう（即ち、媒体の一面側からレーザ光を照射し、この一面側に近い方の記録層の記録・再生を行なう一方、媒体の他面側からもレーザ光を照射し、この他面側に近い方の記録層の記録・再生を行なう）両面型ＤＶＤ−Ｒも知られている。
【０００６】
これらの片面型ＤＶＤ−Ｒや両面型ＤＶＤ−Ｒのように、レーザ光を基板のみを通して記録層に照射しうる光記録媒体では、ジッタを低く抑え、良好な再生特性が得られるようにするために、予め定められた記録パルスストラテジに従い、記録用レーザをパルス状にした記録パルス（例えば先頭パルス及び分割パルスと呼ばれる）を記録層に照射して、情報信号となるマークを形成する方法が一般に知られている（例えば特許文献１参照）。
【０００７】
ところで、近年、複数の記録層を有する光記録媒体においては、記録再生装置が大型化，複雑化しないようにし、また、複数の記録層にわたる連続的な再生を可能とすべく、片面側からレーザ光を照射することによってこれらの複数の記録層に対して記録・再生を行なうことができる片面入射型光記録媒体（例えば片面入射型ＤＶＤ−Ｒ）を実現することが望まれている。
【０００８】
このため、例えば、以下のような構成を有する片面入射型光記録媒体として、例えば２つの記録層を有するデュアルレイヤタイプの片面入射型ＤＶＤ−Ｒが提案されている（例えば特許文献２参照）。
例えば貼り合わせ型のデュアルレイヤタイプの片面入射型ＤＶＤ−Ｒは、第１透光性基板上に、記録用レーザ光の照射により光学的に情報が記録し得る有機色素からなる第１記録層と、再生用レーザ光の一部を透過し得る半透光性反射膜で構成された第１反射層と、記録用レーザ光及び再生用レーザ光に対して透光性を有する中間層と、記録用レーザ光の照射により光学的に情報が記録し得る有機色素からなる第２記録層と、再生用レーザ光を反射する第２反射層と、第２基板とを順に積層して構成される。
【０００９】
【特許文献１】
特開２０００―１８７８４１号公報
【特許文献２】
特開平１１−０６６６２２号公報
【００１０】
【発明が解決しようとする課題】
しかしながら、例えばデュアルレイヤタイプの片面入射型ＤＶＤ−Ｒなどのように、片面側からレーザ光を照射して複数の記録層に対して情報の記録又は再生を行なう片面入射型光記録媒体において、上述の片面型ＤＶＤ−Ｒや両面型ＤＶＤ−Ｒのようなレーザ光を基板のみを通して記録層に照射する光記録媒体と同様の記録パルスストラテジを用いて情報信号となるマークを形成すると、再生信号のジッタが悪くなってしまうという課題がある。
【００１１】
本発明は、このような課題に鑑み創案されたもので、片面側からレーザ光（記録レーザ）を照射して複数の記録層に対して情報信号となるマークを形成する場合に、各記録層により正確にマーク（記録マーク）を形成できるようにし、各記録層の再生信号のジッタを低減し、良好な再生特性が得られるようにした、光記録媒体の記録方法及び記録装置を提供することを目的とする。
【００１２】
【課題を解決するための手段】
本発明の要旨は、片面側から記録レーザを照射して複数の記録層に対して情報信号となる長さｎＴ（ｎは４以上、１４以下の自然数、Ｔは基準クロック周期）のマークを形成する光記録媒体の記録方法において、少なくとも前記マークの始端領域を形成するためのファーストパルスと、前記マークの終端領域を形成するためのラストパルスとを用いて前記記録用レーザを照射して長さｎＴのマークを形成する場合に、前記ファーストパルスの前エッジの位置及び／又は前記ラストパルスの後エッジの位置をマークの長さに応じて変化させてマークを形成することを特徴とする光記録媒体の記録方法に存する。
【００１３】
また、本発明の要旨は、複数の記録層を有する光記録媒体の片面側から記録用レーザ光を入射させてそれぞれの記録層に所望の長さのマークを形成して情報を記録する光記録媒体の記録装置であって、他の記録層を介してパルス状の記録用レーザ光を照射して前記マークを形成する場合、前記マークの長さに応じて前記マークの始端領域を形成するためのファーストパルスのパルス幅及び／又は前記マークの終端領域を形成するためのラストパルスのパルス幅を変化させるように構成されることを特徴とする光記録媒体の記録装置に存する。
【００１４】
さらに、本発明の要旨は、複数の記録層を有する光記録媒体の片面側から記録用レーザ光を入射させてそれぞれの記録層に所望の長さのマークを形成して情報を記録する光記録媒体の記録装置であって、他の記録層を介さずにパルス状の記録用レーザ光を照射して前記マークを形成する場合、前記マークの長さに応じて前記マークの始端領域を形成するためのファーストパルスのパルス幅及び／又は前記マークの終端領域を形成するためのラストパルスのパルス幅を変化させるように構成されることを特徴とする光記録媒体の記録装置に存する。
【００１５】
本発明によれば、片面側からレーザ光を照射して複数の記録層に対して情報信号となるマークを形成する場合に、各記録層により正確にマーク（記録マーク）を形成できるようになるため、各記録層の再生信号のジッタを低く抑えることができ、良好な再生特性が得られるようになる。さらに、本発明によれば、マークの過度な広がりを適切に抑えることができるため、隣のトラックへの信号の漏れ込みを抑えることができる。
【００１６】
【発明の実施の形態】
以下、図面により、本発明の実施の形態にかかる光記録媒体の記録方法及び記録装置について、図１〜図８を参照しながら説明する。
本実施形態にかかる光記録媒体の記録方法は、例えば複数の記録層を有し、片面側から光（レーザ光）を照射することでそれぞれの記録層に情報の記録又は再生を行なうことができる片面入射型光記録媒体（追記型光記録媒体）に情報（データ）を記録するのに用いるのが好ましい。特に、例えば片面入射型ＤＶＤ−Ｒなどの色素含有記録層を有する光記録媒体に適用するとより効果が高い。
【００１７】
本実施形態では、片面入射型光記録媒体（片面入射型ＤＶＤ−Ｒ）として、例えば２つの記録層を有するデュアルレイヤタイプの片面入射型ＤＶＤ−Ｒ（デュアルレイヤ媒体，片面２層ＤＶＤ−Ｒ，片面２層ＤＶＤレコーダブル・ディスク）を例に説明する。
（１）光記録媒体の構造
まず、本実施形態にかかる光記録媒体として、積層構造の異なる２つのタイプの光記録媒体（光ディスク）について説明する。
（Ａ）タイプ１
図１は、本実施形態にかかる光記録媒体（タイプ１，積層型の片面入射型光記録媒体）を示す模式的な断面図である。
【００１８】
本実施形態にかかるタイプ１の光記録媒体は、図１に示すように、ディスク状の透明な（光透過性の）第１基板（第１の基板，第１光透過性基板）１上に、色素を含む第１記録層（第１の記録層，第１色素含有記録層）２、半透明の第１反射層（半透明反射層）３、中間樹脂層（中間層）４、色素を含む第２記録層（第２の記録層，第２色素含有記録層）５、第２反射層６、接着層７、第２基板（第２の基板）８をこの順に有してなる。光ビームは第１基板１側から照射され、記録又は再生が行われる。
【００１９】
なお、本実施形態において、透明である（光透過性がある）とは光記録媒体の記録又は再生に用いる光ビームに対して透明である（光透過性がある）ことを言う。また、透明である（光透過性がある）層としては、記録又は再生に用いる光ビームを多少吸収するものも含む。例えば、記録又は再生に用いる光ビームの波長について５０％以上、好ましくは６０％以上の透過性があれば実質的に光透過性がある（透明である）ものとする。
【００２０】
第１基板１、中間樹脂層４上にはそれぞれ凹凸（ランド及びグルーブ）が形成され、それぞれ記録トラックを構成する。記録トラックは凸部及び凹部のどちらでも良いが、第１基板１上の記録トラック１１は、第１基板１の溝部、即ち光の入射方向に対して凸部で構成されるのが好ましく、中間樹脂層４上の記録トラック１２は、中間樹脂層４の溝部、即ち光の入射方向に対して凸部で構成されるのが好ましい。特に断らない限り、本実施形態において凹凸は記録又は再生に用いる光の入射方向に対して定義される。この他に必要に応じ、ランドプリピット等の凹凸ピットを有することもある。
【００２１】
次に、各層について説明する。
（ａ）第１基板１について
第１基板１は、透明であるほか複屈折率が小さいなど光学特性に優れることが望ましい。また、第１基板１の屈折率（記録光又は再生光の波長に対する屈折率）は、通常１．４０以上であり、好ましくは１．４５以上である。但し、通常１．７０以下であり、好ましくは１．６５以下である。また、射出成形が容易であるなど成形性に優れることが望ましい。さらに、吸湿性が小さいと反りなどを低減できるので望ましい。
【００２２】
更に、光記録媒体がある程度の剛性を有するよう、形状安定性を備えるのが望ましい。但し第２基板８が十分な形状安定性を備えていれば、第１基板１は形状安定性が大きくなくても良い。
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。或いは、第１基板１は複数の層からなるものであっても良く、例えばガラスや樹脂等の基体上に、光硬化樹脂等の放射線硬化樹脂からなる樹脂層を設けたもの等も使用できる。なお、放射線とは、光（紫外線、可視光線、赤外線など）、電子線などの総称である。
【００２３】
なお、光学特性、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
第１基板１は薄い方が好ましく、通常厚さは２ｍｍ以下が好ましく、より好ましくは１ｍｍ以下である。対物レンズと記録層の距離が小さく、また、基板が薄いほどコマ収差が小さい傾向があり、記録密度を上げやすいためである。但し、光学特性、吸湿性、成形性、形状安定性を十分得るためにはある程度の厚みが必要であり、通常１０μｍ以上が好ましく、より好ましくは３０μｍ以上である。
【００２４】
本光記録媒体においては、第１記録層２及び第２記録層５の両方に良好に記録再生を行なうために、対物レンズと両記録層との距離を適宜調節することが望ましい。例えば、対物レンズの焦点が両記録層のほぼ中間地点となるようにすると、両記録層にアクセスしやすいので好ましい。
具体的に説明すると、ＤＶＤ−ＲＯＭ，ＤＶＤ−Ｒシステムにおいては、基板厚さ０．６ｍｍのときに対物レンズと記録層との距離が最適になるよう調節されている。
【００２５】
従って、本層構成においてＤＶＤ−ＲＯＭ互換の場合は、第１基板１の厚さは、０．６ｍｍから、中間樹脂層４の膜厚の２分の１を減じた厚さであることが最も好ましい。このとき、両記録層のほぼ中間地点が約０．６ｍｍとなり、両記録層にフォーカスサーボがかけやすい。
なお、第２記録層５と半透明反射層３の間にバッファー層や保護層など他の層がある場合は、０．６ｍｍから、それらの層と中間樹脂層４の膜厚の和の２分の１を減じた厚さであることが最も好ましい。
【００２６】
第１基板１には凹凸が螺旋状又は同心円状に設けられ、溝及びランドを形成する。通常、このような溝及び／又はランドを記録トラックとして、第１記録層２に情報が記録・再生される。波長６５０ｎｍのレーザを開口数０．６から０．６５の対物レンズで集光して記録再生が行われるいわゆるＤＶＤ−Ｒディスクの場合、通常、第１記録層２は塗布形成されるので溝部で厚膜となり記録再生に適する。
【００２７】
通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。
このような凹凸を有する基板は、コストの観点から、凹凸を持つスタンパから射出成形により製造するのが好ましい。ガラス等の基体上に光硬化樹脂等の放射線硬化樹脂からなる樹脂層を設ける場合は、樹脂層に記録トラックなどの凹凸を形成してもよい。
（ｂ）第１記録層２について
第１記録層２に用いる色素は、通常、片面型記録媒体（例えばＣＤ−Ｒ，ＤＶＤ−Ｒ，ＤＶＤ＋Ｒ）等に用いる色素と同程度の感度である。
【００２８】
また、良好な記録再生特性を実現するためには低発熱で高屈折率な色素であることが望ましい。
ここで、第１記録層２に用いる色素の屈折率（記録光又は再生光の波長に対する屈折率）は、通常１．００以上であり、好ましくは１．５０以上である。但し、通常３．００以下である。
【００２９】
また、第１記録層２に用いる色素の消衰係数（記録光又は再生光の波長に対する消衰係数）は、通常０．５０以下であり、好ましくは０．３０以下である。消衰係数が大きすぎると、色素含有記録層による吸収が大きくなりすぎ、反射率が低くなってしまう。但し、記録が行なわれるためにはある程度吸収があることが好ましく、下限は特に無いが、通常０．００１以上である。
【００３０】
更に、第１記録層２と半透明反射層３との組合せにおいて、光の反射、透過及び吸収を適切な範囲とすることが望ましい。記録感度を高くし、かつ記録時の熱干渉を小さくできる。
このような有機色素材料としては、大環状アザアヌレン系色素（フタロシアニン色素、ナフタロシアニン色素、ポルフィリン色素など）、ピロメテン系色素、ポリメチン系色素（シアニン色素、メロシアニン色素、スクワリリウム色素など）、アントラキノン系色素、アズレニウム系色素、含金属アゾ系色素、含金属インドアニリン系色素などが挙げられる。
【００３１】
上述の各種有機色素の中でも含金属アゾ系色素は、記録感度に優れ、かつ耐久性，耐光性に優れるため好ましい。特に下記一般式（Ｉ）又は（ＩＩ）
【００３２】
【化１】
2005071396.tif 000003
【００３３】
（環Ａ１及びＡ２は、各々独立に置換基を有していてもよい含窒素芳香族複素環であり、環Ｂ１及びＢ２は、各々独立に置換基を有していてもよい芳香族環である。Ｘは、少なくとも２個のフッ素原子で置換されている炭素数１〜６のアルキル基である。）で表される化合物が好ましい。
本光記録媒体の記録層（なお、以下「記録層」という場合には、特にことわり書きのない限り、第１の記録層１と第２の記録層２とをともに指すものとする。）に使用される有機色素は、３５０〜９００ｎｍ程度の可視光〜近赤外域に最大吸収波長λｍａｘを有し、青色〜近マイクロ波レーザでの記録に適する色素化合物が好ましい。通常ＣＤ−Ｒに用いられるような波長７７０〜８３０ｎｍ程度の近赤外レーザ（代表的には７８０ｎｍ，８３０ｎｍなど）や、ＤＶＤ−Ｒに用いられるような波長６２０〜６９０ｎｍ程度の赤色レーザ（代表的には６３５ｎｍ，６５０ｎｍ，６８０ｎｍなど）、あるいは波長４１０ｎｍや５１５ｎｍなどのいわゆるブルーレーザなどでの記録に適する色素がより好ましい。
【００３４】
色素は一種でもよいし、同じ種類のものや異なる種類のものを二種以上混合して用いても良い。さらに、上記複数の波長の記録光に対し、各々での記録に適する色素を併用して、複数の波長域でのレーザ光による記録に対応する光記録媒体とすることもできる。
また、記録層は、記録層の安定や耐光性向上のために、一重項酸素クエンチャーとして遷移金属キレート化合物（例えば、アセチルアセトナートキレート、ビスフェニルジチオール、サリチルアルデヒドオキシム、ビスジチオ−α−ジケトン等）等や、記録感度向上のために金属系化合物等の記録感度向上剤を含有していても良い。
【００３５】
ここで、金属系化合物とは、遷移金属等の金属が原子、イオン、クラスター等の形で化合物に含まれるものを言い、例えばエチレンジアミン系錯体、アゾメチン系錯体、フェニルヒドロキシアミン系錯体、フェナントロリン系錯体、ジヒドロキシアゾベンゼン系錯体、ジオキシム系錯体、ニトロソアミノフェノール系錯体、ピリジルトリアジン系錯体、アセチルアセトナート系錯体、メタロセン系錯体、ポルフィリン系錯体のような有機金属化合物が挙げられる。金属原子としては特に限定されないが、遷移金属であることが好ましい。
【００３６】
さらに、本光記録媒体の記録層には、必要に応じて、バインダー、レベリング剤、消泡剤等を併用することもできる。好ましいバインダーとしては、ポリビニルアルコール、ポリビニルピロリドン、ニトロセルロース、酢酸セルロース、ケトン系樹脂、アクリル系樹脂、ポリスチレン系樹脂、ウレタン系樹脂、ポリビニルブチラール、ポリカーボネート、ポリオレフィン等が挙げられる。
【００３７】
記録層の膜厚は、記録方法などにより適した膜厚が異なるため、特に限定するものではないが、十分な変調度を得るためには通常５ｎｍ以上が好ましく、より好ましくは１０ｎｍ以上であり、特に好ましくは２０ｎｍ以上である。但し、本光記録媒体においては適度に光を透過させるためには厚すぎない必要があるため、通常３μｍ以下であり、好ましくは１μｍ以下、より好ましくは２００ｎｍ以下である。記録層の膜厚は通常、溝部とランド部で異なるが、本光記録媒体において記録層の膜厚は基板の溝部における膜厚を言う。
【００３８】
記録層の成膜方法としては、真空蒸着法、スパッタリング法、ドクターブレード法、キャスト法、スピンコート法、浸漬法等一般に行われている薄膜形成法が挙げられるが、量産性、コスト面からはスピンコート法が好ましい。また厚みの均一な記録層が得られるという点からは、塗布法より真空蒸着法の方が好ましい。
【００３９】
スピンコート法による成膜の場合、回転数は１０〜１５０００ｒｐｍが好ましく、スピンコートの後、加熱あるいは溶媒蒸気にあてる等の処理を行っても良い。
ドクターブレード法、キャスト法、スピンコート法、浸漬法等の塗布方法により記録層を形成する場合の塗布溶媒としては、基板を侵さない溶媒であればよく、特に限定されない。例えば、ジアセトンアルコール、３−ヒドロキシ−３−メチル−２−ブタノン等のケトンアルコール系溶媒；メチルセロソルブ、エチルセロソルブ等のセロソルブ系溶媒；ｎ−ヘキサン、ｎ−オクタン等の鎖状炭化水素系溶媒；シクロヘキサン、メチルシクロヘキサン、エチルシクロヘキサン、ジメチルシクロヘキサン、ｎ−ブチルシクロヘキサン、ｔｅｒｔ−ブチルシクロヘキサン、シクロオクタン等の環状炭化水素系溶媒；テトラフルオロプロパノール、オクタフルオロペンタノール、ヘキサフルオロブタノール等のパーフルオロアルキルアルコール系溶媒；乳酸メチル、乳酸エチル、２−ヒドロキシイソ酪酸メチル等のヒドロキシカルボン酸エステル系溶媒等が挙げられる。
【００４０】
真空蒸着法の場合は、例えば有機色素と、必要に応じて各種添加剤等の記録層成分を、真空容器内に設置されたるつぼに入れ、真空容器内を適当な真空ポンプで１０−２〜１０−５Ｐａ程度にまで排気した後、るつぼを加熱して記録層成分を蒸発させ、るつぼと向き合って置かれた基板上に蒸着させることにより、記録層を形成する。
（ｃ）第１反射層３について
第１反射層３は、ある程度の光透過率を持つ反射層である。つまり、記録再生光の吸収が小さく、光透過率が４０％以上あり、かつ適度な光反射率（通常、３０％以上）を持つ反射層である。なお、第１反射層３を半透明反射層３ともいう。例えば、反射率の高い金属を薄く設けることにより適度な透過率を持たせることができる。また、ある程度の耐食性があることが望ましい。更に、第１反射層３の上層（ここでは中間樹脂層４）の浸み出しにより第１記録層２が影響されないよう遮断性を持つことが望ましい。
【００４１】
高透過率を確保するために、第１反射層３の厚さは通常、５０ｎｍ以下が好適である。より好適には３０ｎｍ以下である。更に好ましくは２５ｎｍ以下である。但し、第１記録層２が第１反射層３の上層により影響されないために、ある程度の厚さが必要であり、通常３ｎｍ以上とする。より好ましくは５ｎｍ以上とする。
【００４２】
第１反射層３の材料としては、再生光の波長で反射率が適度に高いもの、例えば、Ａｕ、Ａｌ、Ａｇ、Ｃｕ、Ｔｉ、Ｃｒ、Ｎｉ、Ｐｔ、Ｔａ、Ｐｄ、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を単独あるいは合金にして用いることが可能である。この中でもＡｕ、Ａｌ、Ａｇは反射率が高く第１反射層３の材料として適している。これらを主成分とする以外に他成分を含んでいても良い。
【００４３】
なかでもＡｇを主成分としているものはコストが安い点、反射率が高い点から特に好ましい。ここで主成分とは含有率が５０％以上のものをいう。
第１反射層３は膜厚が薄く、膜の結晶粒が大きいと再生ノイズの原因となるため、結晶粒が小さい材料を用いるのが好ましい。純銀は結晶粒が大きい傾向があるためＡｇは合金として用いるのが好ましい。
【００４４】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
【００４５】
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００４６】
第１反射層３としてはＡｕのみからなる層は結晶粒が小さく、耐食性に優れ好適である。ただし、Ａｇ合金に比べて高価である。
また、第１反射層３としてＳｉからなる層を用いることも可能である。
金属以外の材料で低屈折率薄膜と高屈折率薄膜を交互に積み重ねて多層膜を形成し、反射層として用いることも可能である。
【００４７】
第１反射層３を形成する方法としては、例えば、スパッタ法、イオンプレーティング法、化学蒸着法、真空蒸着法等が挙げられる。また、第１基板１と第１記録層２との間、及び／又は、第１記録層２と第１反射層３との間に、反射率の向上、記録特性の改善、密着性の向上等のために公知の無機系または有機系の中間層、接着層を設けることもできる。
（ｄ）中間樹脂層４について
中間樹脂層４は、透明である必要があるほか、凹凸により溝やピットが形成可能である必要がある。また接着力が高く、硬化接着時の収縮率が小さいと媒体の形状安定性が高く好ましい。
【００４８】
中間樹脂層４の屈折率（記録光又は再生光の波長に対する屈折率）は、通常１．４０以上であり、好ましくは１．４５以上である。但し、通常１．７０以下であり、好ましくは１．６５以下である。
そして、中間樹脂層４は、第２記録層５にダメージを与えない材料からなることが望ましい。但し、中間樹脂層４は通常、樹脂からなるため第２記録層５と相溶しやすく、これを防ぎダメージを抑えるために両層の間に後述のバッファー層を設けることが望ましい。
【００４９】
さらに、中間樹脂層４は、第１反射層３にダメージを与えない材料からなることが望ましい。但し、ダメージを抑えるために両層の間に後述のバッファー層を設けることもできる。
本光記録媒体において、中間樹脂層４の膜厚は正確に制御することが好ましい。中間樹脂層４の膜厚は、通常５μｍ以上が好ましい。２層の記録層に別々にフォーカスサーボをかけるためには両記録層の間にある程度の距離がある必要がある。フォーカスサーボ機構にもよるが、通常５μｍ以上、好ましくは１０μｍ以上が必要である。
【００５０】
一般に、対物レンズの開口数が高いほどその距離は小さくてよい傾向がある。但しあまり厚いと２層の記録層にフォーカスサーボを合わせるのに時間を要し、また対物レンズの移動距離も長くなるため好ましくない。また硬化に時間を要し生産性が低下するなどの問題があるため、通常、１００μｍ以下が好ましい。
中間樹脂層４には凹凸が螺旋状又は同心円状に設けられ、溝及びランドを形成する。通常、このような溝及び／又はランドを記録トラックとして、第２記録層５に情報が記録・再生される。通常、第２記録層５は塗布形成されるので溝部で厚膜となり記録再生に適する。通常、溝幅は２００〜５００ｎｍ程度であり、溝深さは１２０〜２５０ｎｍ程度である。また記録トラックが螺旋状である場合、トラックピッチは０．１〜２．０μｍ程度であることが好ましい。
【００５１】
このような凹凸は、コストの観点から、凹凸を持つ樹脂スタンパ等から光硬化性樹脂などの硬化性樹脂に転写、硬化させて製造するのが好ましい。以下、このような方法を２Ｐ法（Ｐｈｏｔｏ  Ｐｏｌｙｍｅｒｉｚａｔｉｏｎ法）と称することがある。
中間樹脂層４の材料としては、例えば、熱可塑性樹脂、熱硬化性樹脂、電子線硬化性樹脂、紫外線硬化性樹脂（遅延硬化型を含む）等を挙げることができる。
【００５２】
熱可塑性樹脂、熱硬化性樹脂などは適当な溶剤に溶解して塗布液を調製し、これを塗布し、乾燥（加熱）することによって形成することができる。紫外線硬化性樹脂は、そのままもしくは適当な溶剤に溶解して塗布液を調製した後にこの塗布液を塗布し、紫外光を照射して硬化させることによって形成することができる。紫外線硬化性樹脂には様々な種類があり、透明であればいずれも用いうる。またそれらの材料を単独であるいは混合して用いても良いし、１層だけではなく多層膜にして用いても良い。
【００５３】
塗布方法としては、記録層と同様にスピンコート法やキャスト法等の塗布法等の方法が用いられるが、この中でもスピンコート法が好ましい。或いは、粘度の高い樹脂はスクリーン印刷等によっても塗布形成できる。紫外線硬化性樹脂は、生産性を２０〜４０℃において液状であるものを用いると、溶媒を用いることなく塗布でき好ましい。また、粘度は２０〜１０００ｍＰａ・ｓとなるように調製するのが好ましい。
【００５４】
さて、紫外線硬化性接着剤としては、ラジカル系紫外線硬化性接着剤とカチオン系紫外線硬化性接着剤があるが、いずれも使用可能である。
ラジカル系紫外線硬化性接着剤としては、公知の全ての組成物を用いることができ、紫外線硬化性化合物と光重合開始剤を必須成分として含む組成物が用いられる。紫外線硬化性化合物としては、単官能（メタ）アクリレートや多官能（メタ）アクリレートを重合性モノマー成分として用いることができる。これらは、各々、単独または２種類以上併用して用いることができる。ここで、本発明では、アクリレートとメタアクリレートとを併せて（メタ）アクリレートと称する。
【００５５】
本光記録媒体に使用できる重合性モノマーとしては例えば以下のものが挙げられる。単官能（メタ）アクリレートとしては例えば、置換基としてメチル、エチル、プロピル、ブチル、アミル、２−エチルヘキシル、オクチル、ノニル、ドデシル、ヘキサデシル、オクタデシル、シクロヘキシル、ベンジル、メトキシエチル、ブトキシエチル、フェノキシエチル、ノニルフェノキシエチル、テトラヒドロフルフリル、グリシジル、２−ヒドロキシエチル、２−ヒドロキシプロピル、３−クロロ−２−ヒドロキシプロピル、ジメチルアミノエチル、ジエチルアミノエチル、ノニルフェノキシエチルテトラヒドロフルフリル，カプロラクトン変性テトラヒドロフルフリル、イソボルニル，ジシクロペンタニル，ジシクロペンテニル，ジシクロペンテニロキシエチル等の如き基を有する（メタ）アクリレート等が挙げられる。
【００５６】
また、多官能（メタ）アクリレートとしては例えば、１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、１，９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ジペンタエリスリトールのポリ（メタ）アクリレート、エチレンオキサイド変性リン酸（メタ）アクリレート、エチレンオキサイド変性アルキル化リン酸（メタ）アクリレート等が挙げられる。
【００５７】
また、重合性モノマーと同時に併用できるものとしては、重合性オリゴマーとしてポリエステル（メタ）アクリレート、ポリエーテル（メタ）アクリレート、エポキシ（メタ）アクリレート、ウレタン（メタ）アクリレート等がある。
更に、本光記録媒体に使用する光重合開始剤は、用いる重合性オリゴマーおよび／または重合性モノマーに代表される紫外線硬化性化合物が硬化できる公知のものがいずれも使用できる。光重合開始剤としては、分子開裂型または水素引き抜き型のものが本光記録媒体に好適である。
【００５８】
このような例としては、ベンゾインイソブチルエーテル、２，４−ジエチルチオキサントン、２−イソプロピルチオキサントン、ベンジル、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が好適に用いられ、さらにこれら以外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オンおよび２−メチル−１−（４−メチルチオフェニル）−２−モルフォリノプロパン−１−オン等を併用しても良いし、さらに水素引き抜き型光重合開始剤である、ベンゾフェノン、４−フェニルベンゾフェノン、イソフタルフェノン、４−ベンゾイル−４’−メチル−ジフェニルスルフィド等も併用できる。
【００５９】
また光重合開始剤に対する増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４’−ビス（ジエチルアミノ）ベンゾフェノン等の、前述重合性成分と付加反応を起こさないアミン類を併用することもできる。もちろん、上記光重合開始剤や増感剤は、紫外線硬化性化合物への溶解性に優れ、紫外線透過性を阻害しないものを選択して用いることが好ましい。
【００６０】
また、カチオン系紫外線硬化性接着剤としては公知のすべての組成物を用いることができ、カチオン重合型の光開始剤を含むエポキシ樹脂がこれに該当する。カチオン重合型の光開始剤としては、スルホニウム塩、ヨードニウム塩およびジアゾニウム塩等がある。
ヨードニウム塩の１例を示すと以下の通りである。ジフェニルヨードニウム    ヘキサフルオロホスフェート、ジフェニルヨードニウム    ヘキサフルオロアンチモネート、ジフェニルヨードニウム    テトラフルオロボレート、ジフェニルヨードニウム    テトラキス（ペンタフルオロフェニル）ボレート、ビス（ドデシルフェニル）ヨードニウム    ヘキサフルオロホスフェート、ビス（ドデシルフェニル）ヨードニウム    ヘキサフルオロアンチモネート、ビス（ドデシルフェニル）ヨードニウム    テトラフルオロボレート、ビス（ドデシルフェニル）ヨードニウムテトラキス（ペンタフルオロフェニル）ボレート、４−メチルフェニル−４−（１−メチルエチル）フェニルヨードニウム    ヘキサフルオロホスフェート、４−メチルフェニル−４−（１−メチルエチル）フェニルヨードニウム    ヘキサフルオロアンチモネート、４−メチルフェニル−４−（１−メチルエチル）フェニルヨードニウム    テトラフルオロボレート、４−メチルフェニル−４−（１−メチルエチル）フェニルヨードニウム    テトラキス（ペンタフルオロフェニル）ボレート、などが挙げられる。
【００６１】
エポキシ樹脂は、ビスフェノールＡ−エピクロールヒドリン型、脂環式エポキシ、長鎖脂肪族型、臭素化エポキシ樹脂、グリシジルエステル型、グリシジルエーテル型、複素環式系等種々のものがいずれであってもかまわない。
エポキシ樹脂としては、反射層にダメージを与えないよう、遊離したフリーの塩素および塩素イオン含有率が少ないものを用いるのが好ましい。塩素の量が１重量％以下が好ましく、より好ましくは０．５重量％以下である。
【００６２】
カチオン型紫外線硬化性樹脂１００重量部当たりのカチオン重合型光開始剤の割合は通常、０．１〜２０重量部であり、好ましくは０．２〜５重量部である。なお、紫外線光源の波長域の近紫外領域や可視領域の波長をより有効に利用するため、公知の光増感剤を併用することができる。この際の光増感剤としては、例えばアントラセン、フェノチアジン、ベンジルメチルケタール、ベンゾフェノン、アセトフェノン等が挙げられる。
【００６３】
また、紫外線硬化性接着剤には、必要に応じてさらにその他の添加剤として、熱重合禁止剤、ヒンダードフェノール、ヒンダードアミン、ホスファイト等に代表される酸化防止剤、可塑剤およびエポキシシラン、メルカプトシラン、（メタ）アクリルシラン等に代表されるシランカップリング剤等を、各種特性を改良する目的で配合することもできる。これらは、紫外線硬化性化合物への溶解性に優れたもの、紫外線透過性を阻害しないものを選択して用いる。
（ｅ）第２記録層５について
第２記録層５に用いる色素は、通常、片面型記録媒体（例えばＣＤ−Ｒ，ＤＶＤ−Ｒ，ＤＶＤ＋Ｒ）等に用いる色素よりも高感度である。本光記録媒体においては、入射した光ビームのパワーが第１記録層２や半透明反射層３の存在等で減少するため、約半分のパワーで記録するために、特に感度が高い必要があるのである。
【００６４】
また、良好な記録再生特性を実現するためには低発熱で高屈折率な色素であることが望ましい。
ここで、第２記録層５に用いる色素の屈折率（記録光又は再生光の波長に対する屈折率）は、通常１．００以上であり、好ましくは１．５０以上である。但し、通常３．００以下である。
【００６５】
また、第２記録層５に用いる色素の消衰係数（記録光又は再生光の波長に対する消衰係数）は、通常０．５０以下であり、好ましくは０．３０以下である。消衰係数が大きすぎると、色素記録層による吸収が大きくなりすぎ、反射率が低くなってしまう。但し、記録が行なわれるためにはある程度吸収があることが好ましく、下限は特に無いが、通常０．００１以上である。
【００６６】
更に、第２記録層５と反射層６との組合せにおいて、光の反射及び吸収を適切な範囲とすることが望ましい。記録感度を高くし、かつ記録時の熱干渉を小さくできる。
第２記録層５の材料、成膜方法等についてはほぼ第１記録層２と同様に説明されるため、異なる点のみ説明する。
【００６７】
第２記録層５の膜厚は、記録方法などにより適した膜厚が異なるため、特に限定するものではないが、十分な変調度を得るためには通常１０ｎｍ以上が好ましく、より好ましくは３０ｎｍ以上であり、特に好ましくは５０ｎｍ以上である。但し、適度な反射率を得るためには厚すぎない必要があるため、通常３μｍ以下であり、好ましくは１μｍ以下、より好ましくは２００ｎｍ以下である。ここで、第２記録層５の膜厚は、通常、厚膜部における膜厚をいう。
【００６８】
第１記録層２と第２記録層５とに用いる材料は同じでも良いし異なっていてもよい。
（ｆ）第２反射層６について
第２反射層６は、高反射率である必要がある。また、高耐久性であることが望ましい。
【００６９】
高反射率を確保するために、第２反射層６の厚さは通常、２０ｎｍ以上が好適である。より好適には３０ｎｍ以上である。更に好ましくは５０ｎｍ以上である。但し、生産のタクトタイムを短くし、コストを下げるためにはある程度薄いことが好ましく、通常４００ｎｍ以下とする。より好ましくは３００ｎｍ以下とする。
【００７０】
第２反射層６の材料としては、再生光の波長で反射率の十分高いもの、例えば、Ａｕ、Ａｌ、Ａｇ、Ｃｕ、Ｔｉ、Ｃｒ、Ｎｉ、Ｐｔ、Ｔａ及びＰｄの金属を単独あるいは合金にして用いることが可能である。この中でもＡｕ、Ａｌ、Ａｇは反射率が高く第２反射層６の材料として適している。これらを主成分とする以外に他成分として下記のものを含んでいても良い。他成分の例としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を挙げることができる。
【００７１】
中でもＡｇを主成分としているものはコストが安い点、高反射率が出やすい点、更に後で述べる印刷受容層を設ける場合には地色が白く美しいものが得られる点等から特に好ましい。ここで主成分とは含有率が５０％以上のものをいう。
第２反射層６は高耐久性（高耐食性）を確保するため、Ａｇは純銀よりも合金として用いるのが好ましい。
【００７２】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
【００７３】
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００７４】
第２反射層６としてはＡｕのみからなる層は高耐久性（高耐食性）が高く好適である。ただし、Ａｇ合金に比べて高価である。
金属以外の材料で低屈折率薄膜と高屈折率薄膜を交互に積み重ねて多層膜を形成し、第２反射層６として用いることも可能である。
第２反射層６を形成する方法としては、例えば、スパッタ法、イオンプレーティング法、化学蒸着法、真空蒸着法等が挙げられる。また、第２反射層６の上下に反射率の向上、記録特性の改善、密着性の向上等のために公知の無機系または有機系の中間層、接着層を設けることもできる。
（ｇ）接着層７について
接着層７は、透明である必要はないが、接着力が高く、硬化接着時の収縮率が小さいと媒体の形状安定性が高く好ましい。
【００７５】
また、接着層７は第２反射層６にダメージを与えない材料からなることが望ましい。但し、ダメージを抑えるために両層の間に公知の無機系または有機系の保護層を設けることもできる。
本光記録媒体において、接着層７の膜厚は、通常２μｍ以上が好ましい。所定の接着力を得るためにはある程度の膜厚が必要である。より好ましくは５μｍ以上である。但し光記録媒体をできるだけ薄くするために、また硬化に時間を要し生産性が低下するなどの問題があるため、通常、１００μｍ以下が好ましい。
【００７６】
接着層７の材料は、中間樹脂層４の材料と同様のものが用いうるほか、感圧式両面テープ等も使用可能である。感圧式両面テープを反射層６と第２基板８との間に挟んで押圧することにより、接着層７を形成できる。
（ｈ）第２基板８について
第２基板８は、光記録媒体がある程度の剛性を有するよう、形状安定性を備えるのが望ましい。即ち機械的安定性が高く、剛性が大きいことが好ましい。また接着層７との接着性が高いことが望ましい。
【００７７】
上述のように第１基板１が十分な形状安定性を備えていない場合は、第２基板８は特に形状安定性が高い必要がある。この点で吸湿性が小さいことが望ましい。但し第２基板８は透明である必要はない。また第２基板８は鏡面基板で良く、凹凸を形成する必要はないので射出成形による転写性は必ずしも良い必要はない。
【００７８】
このような材料としては、第１基板１に用いうる材料と同じものが用い得るほか、例えば、Ａｌを主成分とした例えばＡｌ−Ｍｇ合金等のＡｌ合金基板や、Ｍｇを主成分とした例えばＭｇ−Ｚｎ合金等のＭｇ合金基板、シリコン、チタン、セラミックスのいずれかからなる基板やそれらを組み合わせた基板などを用いることができる。
【００７９】
なお、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
光記録媒体に十分な剛性を持たせるために、第２基板８はある程度厚いことが好ましく、厚さは０．３ｍｍ以上が好ましい。但し薄いほうが記録再生装置の薄型化に有利であり、好ましくは３ｍｍ以下である。より好ましくは１．５ｍｍ以下である。
【００８０】
第２基板８は凹凸を持たない鏡面基板で良いが、生産しやすさの観点から、射出成型により製造するのが望ましい。
第１基板１と第２基板８の好ましい組合せの一例は、第１基板１と第２基板８とが同一材料からなり、厚さも同一である。剛性が同等でバランスが取れているので、環境変化に対しても媒体として変形しにくく好ましい。この場合、環境が変化したときの変形の程度や方向も両基板で同様であると好ましい。
【００８１】
他の好ましい組合せの一例は、第１基板１が０．１ｍｍ程度と薄く、第２基板８が１．１ｍｍ程度と厚いものである。対物レンズが記録層に近づきやすく記録密度を上げやすいため好ましい。このとき第１基板１はシート状であってもよい。
（ｉ）その他の層について
上記積層構造において、必要に応じて任意の他の層を挟んでも良い。或いは媒体の最外面に任意の他の層を設けても良い。具体的には、第１反射層３と中間樹脂層４との間、中間樹脂層４と第２記録層５との間、第２反射層６と接着層７との間、などに中間層としてのバッファー層を設けてもよい。
【００８２】
バッファー層は２つの層の混和を防止し、相溶を防ぐものである。バッファー層が混和現象を防止する以外の他の機能を兼ねていても良い。また必要に応じてさらに他の中間層を挟んでも良い。
バッファー層の材料は、第２記録層５や中間樹脂層４と相溶せず、かつ、ある程度の光透過性をもつ必要があるが、公知の無機物及び有機物が用いうる。特性面からは、好ましくは無機物が用いられる。例えば、（１）金属又は半導体、（２）金属又は半導体の酸化物、窒化物、硫化物、酸硫化物、フッ化物又は炭化物、もしくは（３）非晶質カーボン、などが用いられる。中でも、ほぼ透明な誘電体からなる層や、ごく薄い金属層（合金を含む）が好ましい。
【００８３】
具体的には、酸化珪素、特に二酸化珪素や、酸化亜鉛、酸化セリウム、酸化イットリウム等の酸化物；硫化亜鉛、硫化イットリウムなどの硫化物；窒化珪素などの窒化物；炭化珪素；酸化物とイオウとの混合物（酸硫化物）；および後述の合金などが好適である。また、酸化珪素と硫化亜鉛との３０：７０〜９０：１０程度（重量比）の混合物も好適である。また、イオウと二酸化イットリウムと酸化亜鉛との混合物（Ｙ２Ｏ２Ｓ−ＺｎＯ）も好適である
金属や合金としては、銀、又は銀を主成分とし更にチタン、亜鉛、銅、パラジウム、及び金よりなる群から選ばれる少なくとも１種の元素を０．１〜１５原子％含有するものが好適である。また、銀を主成分とし、少なくとも１種の希土類元素を０．１〜１５原子％含有するものも好適である。この希土類としては、ネオジウム、プラセオジウム、セリウム等が好適である。
【００８４】
その他、バッファー層作製時に記録層の色素を溶解しないようなものであれば樹脂層でも構わない。特に、真空蒸着やＣＶＤ法で作製可能な高分子膜が有用である。
バッファー層の厚さは２ｎｍ以上が好ましく、より好ましくは５ｎｍ以上である。バッファー層の厚さが過度に薄いと、上記の混和現象の防止が不十分となる虞がある。但し２０００ｎｍ以下が好ましく、より好ましくは５００ｎｍ以下である。バッファー層が過度に厚いと、混和防止には不必要であるばかりでなく、光の透過率を低下させる恐れもある。また無機物からなる層の場合には成膜に時間を要し生産性が低下したり、膜応力が高くなったりする虞があり２００ｎｍ以下が好ましい。特に、金属の場合は光の透過率を過度に低下させるため、２０ｎｍ以下程度が好ましい。
【００８５】
また、記録層や反射層を保護するために保護層を設けても良い。保護層の材料としては、記録層や反射層を外力から保護するものであれば特に限定されない。有機物質の材料としては、熱可塑性樹脂、熱硬化性樹脂、電子線硬化性樹脂、紫外線硬化性樹脂等を挙げることができる。また、無機物質としては、酸化ケイ素、窒化ケイ素、ＭｇＦ２、ＳｎＯ２等が挙げられる。
【００８６】
熱可塑性樹脂、熱硬化性樹脂などは適当な溶剤に溶解して塗布液を調製し、これを塗布、乾燥することによって形成することができる。紫外線硬化性樹脂は、そのままもしくは適当な溶剤に溶解して塗布液を調製した後にこの塗布液を塗布し、ＵＶ光を照射して硬化させることによって形成することができる。紫外線硬化性樹脂としては、例えば、ウレタンアクリレート、エポキシアクリレート、ポリエステルアクリレートなどのアクリレート系樹脂を用いることができる。これらの材料は単独であるいは混合して用いても良いし、１層だけではなく多層膜にして用いても良い。
【００８７】
保護層の形成方法としては、記録層と同様にスピンコート法やキャスト法等の塗布法やスパッタ法や化学蒸着法等の方法が用いられるが、この中でもスピンコート法が好ましい。
保護層の膜厚は、一般に０．１〜１００μｍの範囲であるが、本光記録媒体においては、１〜５０μｍが好ましい。
【００８８】
更に、上記光記録媒体には、必要に応じて、記録・再生光の入射面ではない面に、インクジェット、感熱転写等の各種プリンタ、或いは各種筆記具にて記入（印刷）が可能な印刷受容層を設けてもよい。
或いは、本層構成の他に記録層を設けて記録層を３層以上としても良い。また、本層構成の光記録媒体を２枚、第１基板２１を外側にして貼合わせて、記録層を４層有する、より大容量媒体とすることもできる。
（Ｂ）タイプ２
図２は、本実施形態にかかる光記録媒体（タイプ２）を示す模式的な断面図である。
【００８９】
本実施形態にかかるタイプ２の光記録媒体（貼り合わせ型の片面入射型光記録媒体）は、図２に示すように、ディスク状の透明な（光透過性の）第１基板（第１の基板，第１光透過性基板）２１上に、色素を含む第１記録層（第１の記録層，第１色素含有記録層）２２、半透明の第１反射層（半透明反射層）２３、透明接着層（中間層）２４、バッファー層２８、色素を含む第２記録層（第２の記録層，第２色素含有記録層）２５、第２反射層２６、ディスク状の第２基板（第２の基板）２７をこの順に有してなる。光ビームは第１基板２１側から照射され、記録・再生が行われる。なお、透明であるとは光記録媒体の記録・再生に用いる光ビームに対して透明であることを言う。
【００９０】
つまり、本光記録媒体は、案内溝を有する第１基板２１上に、少なくとも、第１の色素を含有する第１記録層２２と第１反射層２３とを順次積層させてなる第１情報記録体と、案内溝を有する第２基板２７上に、少なくとも、第２反射層２６と第２の色素を含有する第２記録層２５とを順次積層させてなる第２情報記録体とを備え、第１情報記録体と第２情報記録体とを基板と反対側の面を対向させ、光学的に透明な接着層を介して貼り合わされてなる。
【００９１】
第１基板２１、第２基板２７上にはそれぞれ凹凸が形成され、それぞれ記録トラックを構成する。記録トラックは凸部及び凹部のどちらでも良いが、第１基板２１上の記録トラック３１は、第１基板２１の溝部、即ち光の入射方向に対して凸部で構成されるのが好ましく、第２基板２７上の記録トラック３２は、第２基板２７の溝部、即ち光の入射方向に対して凹部で構成されるのが好ましい。特に断らない限り、本実施形態において凹凸は記録・再生に用いる光の入射方向に対して定義される。この他に必要に応じ、ランドプリピット等の凹凸ピットを有することもある。
【００９２】
次に、各層について説明する。
本実施形態にかかるタイプ２の光記録媒体の第１基板２１，第１記録層２２，第１反射層２３，第２記録層２５，反射層２６は、それぞれタイプ１の光記録媒体の第１基板１，第１記録層２，半透明反射層３，第２記録層５，第２反射層６と略同様の構成である。
【００９３】
また、中間層としての透明接着層２４は、凹凸により溝やピットを形成する必要がないという以外は、タイプ１の光記録媒体に備えられる中間樹脂層４と略同様の構成である。なお、本タイプ２の光記録媒体では、上記の溝やピットは後述する第２基板２７に形成されている。
さらに、中間層としてのバッファー層２８は、タイプ１の光記録媒体に備えられるバッファー層と略同様の構成である。なお、このバッファー層は必要に応じて形成するようにしても良い。
【００９４】
第２基板２７は、光記録媒体がある程度の剛性を有するよう、形状安定性を備えるのが望ましい。即ち機械的安定性が高く、剛性が大きいことが好ましい。第１基板２１が十分な形状安定性を備えていない場合は、第２基板２７は特に形状安定性が高い必要がある。この点で吸湿性が小さいことが望ましい。
第２基板２７には凹凸（記録トラック）を形成するので成形性がよいことが望ましい。また、透明である必要はないが、製造工程上、透明であると、第２記録層２５の膜厚測定がしやすいので好ましい。
【００９５】
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。
第２基板２７には、凹凸が螺旋状又は同心円状に設けられ、溝及びランドを形成する。通常、このような溝及び／又はランドを記録トラックとして、第２記録層２５に情報が記録・再生される。通常、第２記録層２５は塗布形成されるので溝部で厚膜となり記録再生に適する。本光記録媒体においては第２基板２７の溝部、即ち光の入射方向に対して凹部を記録トラック３２とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【００９６】
このような凹凸を有する第２基板２７は、コストの観点から、凹凸を持つスタンパから樹脂を用いて射出成形により製造するのが好ましい。ガラス等の基体上に光硬化性樹脂等の放射線硬化性樹脂からなる樹脂層を設ける場合は、樹脂層に記録トラックなどの凹凸を形成してもよい。
上記のようにして得られた本光記録媒体（タイプ１及びタイプ２）への記録は、記録層に直径０．５〜１μｍ程度に集束したレーザ光を第１基板１，２１側から照射することにより行なう。レーザ光の照射された部分には、レーザ光エネルギーの吸収による、分解、発熱、溶解等の記録層の熱的変形が起こり、光学特性が変化する。
【００９７】
記録された情報の再生は、レーザ光により、光学特性の変化が起きている部分と起きていない部分の反射率の差を読み取ることにより行なう。
また、２層の記録層には以下のようにして個別に記録再生する。集束したレーザの集束位置をナイフエッジ法、非点収差法、フーコー法等で得られるフォーカスエラー信号によって、第１記録層２，２２と第２記録層５，２５とは区別できる。すなわち、レーザ光を集束する対物レンズを上下に動かすと、レーザの集束位置が第１記録層２，２２に対応する位置と第２記録層５，２５に対応する位置で、それぞれＳ字カーブが得られる。どちらのＳ字カーブをフォーカスサーボに用いるかにより、第１記録層２，２２と第２記録層５，２５のどちらを記録再生するかを選択可能である。
【００９８】
タイプ１の光記録媒体において好ましくは、図１に示すように第１基板１及び中間樹脂層４にそれぞれ凹凸が形成されてなり、第１基板１の凸部及び中間樹脂層４の凸部を記録トラックとして記録再生を行なうものとする。通常、色素記録層は塗布形成されるので溝部で厚膜となり記録再生に適する。タイプ１の光記録媒体においては第１基板１の溝部、即ち光の入射方向に対して凸部を記録トラック１１とし、中間樹脂層４の溝部、即ち光の入射方向に対して凸部を記録トラック１２とするのが好ましい。
【００９９】
また、タイプ２の光記録媒体において好ましくは、図２に示すように第１基板２１及び第２基板２７にそれぞれ凹凸が形成されてなり、第１基板２１の凸部及び第２基板２７の凹部を記録トラックとして記録再生を行なうものとする。なお、第１記録層２２と第２記録層２５とでは、トラッキングサーボの極性を逆にする場合がある。タイプ２の光記録媒体においては第１基板２１の溝部、即ち光の入射方向に対して凸部を記録トラック３１とし、第２基板２７の溝部、即ち光の入射方向に対して凹部を記録トラック３２とするのが好ましい。
（２）光記録媒体の記録方法
次に、本実施形態にかかる光記録媒体の記録方法について、図３及び図４を参照しながら具体的に説明する。
【０１００】
図３は、本記録方法を説明するための記録パルスストラテジの概略を示す図である。また、図４は、本記録方法を表した記録パルスストラテジの概略を説明するための図である。
ここで、図３及び図４中、ファーストパルスはマークの始端領域を形成するレーザを照射するためのパルスであり、マルチパルスはマークの中間領域を形成するレーザを照射するためのパルスであり、ラストパルスはマークの終端領域を形成するレーザを照射するためのパルスである。また、Ｔはパルスストラテジを決める際の基準として用いられる基準クロック周期、Ｔｔｏｐ、Ｔｍｐ、Ｔｌｐはそれぞれファーストパルス、マルチパルス、ラストパルスのパルス幅を示しており、ｄＴｔｏｐはファーストパルスのトリガとなる基準クロックとファーストパルスの前エッジとの時間差を示している。
【０１０１】
本記録方法では、記録すべき３Ｔから１４Ｔまでのマーク長に応じて、図３に示すファーストパルス、マルチパルス、ラストパルスを組み合わせて記録用レーザ（記録レーザ，記録用レーザ光）を照射し、情報信号となるマークを形成する。
例えば、長さ３Ｔのマーク（３Ｔマーク）を形成する場合にはファーストパルスを、長さ４Ｔのマーク（４Ｔマーク）を形成する場合にはファーストパルスとラストパルスを、長さ５Ｔのマーク（５Ｔマーク）を形成する場合にはファーストパルスとマルチパルス、さらにラストパルスを、長さ６Ｔ以降のマーク（６Ｔマーク等）を形成する場合は、さらにマルチパルスを一つずつ増加させていくことにより記録用レーザを照射し、３Ｔから１４Ｔまでの異なるマーク長のマークを形成するようになっている。
【０１０２】
ところで、例えばデュアルレイヤタイプの片面入射型ＤＶＤ−Ｒなどのように、片面側からレーザ光を照射して複数の記録層に対して情報の記録又は再生を行なう片面入射型光記録媒体では、例えば片面型ＤＶＤ−Ｒや両面型ＤＶＤ−Ｒのようなレーザ光を基板のみを通して記録層に照射する光記録媒体と同様の記録パルスストラテジを用いて情報信号となるマークを形成すると、再生信号のジッタが悪くなってしまう。
【０１０３】
このようにジッタが悪くなってしまうのは、明確な理由は不明だが、以下のような理由が推測される。
例えばデュアルレイヤタイプの片面入射型ＤＶＤ−Ｒの第２記録層に信号を記録する際には、第１基板、第１記録層、半透明の第１反射層及び中間層を透過したレーザ光が記録用レーザ光（記録レーザともいう）として用いられることになる。このように、第１記録層と第２記録層の間に中間層、半透明の第１反射層等が存在するため、第２記録層に到達する記録用レーザ光の強さ（パワー）が弱められ、また、第１記録層、第１反射層、中間層の各層間の屈折率差によって記録用レーザ光の波長が変化してしまい、第１記録層に信号を記録する場合に対して記録用レーザ光の状態が変化してしまうことになる。
【０１０４】
また、第１記録層にマークを形成する場合も、通常の反射層よりも薄いため蓄熱しにくく、また通常の反射層よりも反射率が低い半透明の第１反射層を利用してマークを形成することになるため、照射したレーザ光の熱が十分に第１記録層に伝わらない。
さらに、記録層はある程度の熱量を受けた後に分解等を開始して、マークを形成し始めるため、分解を始めるためには最初にある程度の熱量が必要になる。このため、実際にレーザ光を照射したとしても、マークが形成され始めるまでに多少の遅れが生じてしまう。この結果、実際に形成されるマークの長さ（マーク長）が、形成したいマーク長よりも短くなってしまう傾向がある。この傾向は形成するマーク長が長く、レーザ光により照射される熱量が少なくなればなるほど顕著となる。
【０１０５】
また、第２記録層においては、通常の片面型記録媒体等に用いる色素よりも高感度の色素を用いるため、マークが形成されはじめた後、主にマークの終端領域が広がりやすい。この傾向はマーク長が長くなるほど顕著である。
これらの原因が組み合わさることにより、例えばデュアルレイヤタイプの片面入射型ＤＶＤ−Ｒなどの片面入射型光記録媒体において、上述の片面型ＤＶＤ−Ｒや両面型ＤＶＤ−Ｒのようなレーザ光を基板のみを通して記録層に照射する光記録媒体と同様の記録パルスストラテジを用いて情報信号となるマークを形成すると、再生信号のジッタが悪くなってしまうと推測される。
【０１０６】
そこで、各記録層の再生信号のジッタを低減して良好なものとすべく、例えばデュアルレイヤタイプの片面入射型ＤＶＤ−Ｒなどの片面入射型光記録媒体において、記録用レーザ光の入射側（第１基板側）から遠い側に位置する記録層（第２記録層）にマークを形成する場合に、第１記録層及び第１記録層と第２記録層との間に介在する層の厚さや屈折率等を考慮して、記録用レーザ光の入射側に近い側に位置する記録層（第１記録層）にマークを形成する場合よりも記録用レーザ光のパワーを上げることが考えられる。
【０１０７】
しかしながら、単に記録用レーザ光のパワーを上げるだけでは、十分にジッタを低減することはできない。
一方、記録用レーザの制御及び記録装置の実用化を考慮すると、記録用レーザ光のパワーはできるだけ低く抑えるのが望ましい。また、記録用レーザ光のパワーを上げていくと、これに伴ってアシンメトリの値が悪くなってしまうため、記録用レーザ光のパワーを上げるとしても限界がある。
【０１０８】
また、記録用レーザ光のパワーを下げすぎると、モジュレーション［最大信号振幅（最大マークの振幅；Ｍｏｄｕｌａｔｉｏｎ；Ｉ１４／Ｉ１４Ｈ）］の値が悪くなってしまう。
特に、従来の片面型記録媒体等では問題とならなかったマーク終端領域の広がりを抑えるために、新たな観点からの記録方法が必要である。
そこで、本実施形態では、記録用レーザ光の入射側（第１基板側）から遠い側に位置する記録層（第２記録層）にマークを形成する場合（即ち、他の記録層を介してパルス状の記録用レーザ光を照射してマークを形成する場合）、アシンメトリの値が所望の範囲内（例えば０付近）［ここではモジュレーションの値も所望の値以上（例えば０．６以上）］になるように記録レーザ光のパワーを調整した上で、以下に説明するように記録方法を工夫して、ジッタを低減させるようにしている。
【０１０９】
特に、アシンメトリの値が所望の範囲内（例えば０付近）となり、ジッタが所定値（例えば９％）以下になる記録レーザ光のパワーのうち最も低いものを選べば、記録用レーザ光のパワーを低く抑えることができる。なお、モジュレーションの値は所望の値以上（例えば０．６以上）となるようにするのが好ましい。
本実施形態では、片面側から記録レーザを照射して複数の記録層に対して情報信号となるマークを形成する光記録媒体において、マークの始端領域を形成するためのファーストパルスと、マークの終端領域を形成するためのラストパルスとを照射し、さらに、ファーストパルスの前エッジの位置及び／又はラストパルスの後エッジの位置をマークの長さに応じて変化させてマークを形成するようにしている。
【０１１０】
これは、ファーストパルスの前エッジの位置やラストパルスの後エッジの位置によって、形成されるマークの始端領域や終端領域の形状が決まり、ジッタに与える影響が大きいためである。
特に、図４（Ａ）に示すような記録パルスストラテジに基づいてマークを形成する場合、図３及び図４（Ｂ）に示すように、形成したいマークの長さに合わせて、図３のファーストパルスの後エッジを移動させることなく（後エッジを固定して）、前エッジのみを移動させて（前エッジをｄＴｔｏｐだけシフトさせて）、ファーストパルスのパルス幅Ｔｔｏｐを広くする（記録用レーザ光の照射時間を長くする）のが好ましい。すなわち、ｄＴｔｏｐの値を増加させ、ファーストパルスの開始タイミングを早め、ファーストパルスのパルス幅Ｔｔｏｐを広く（照射時間を長く）することで、一つのマークを形成するために照射する記録用レーザ光の全照射量を増やすとともに、マークの形成を開始するのに必要な初期熱量を増やすようにするのが好ましい。
【０１１１】
このように、ファーストパルスのパルス幅を広くして記録用レーザ光の照射量を増やしているのは、記録用レーザ光の照射によって記録層に与えられる熱量は記録層中を伝導していくため、所望の長さのマークを形成するために記録用レーザ光を一定時間照射する場合、最初に十分な量の熱量を与える方が、記録層に与えられる熱を有効に利用することができ、マークの広がりを抑えることができるからである。
【０１１２】
ここでは、マークの長さに応じてファーストパルスの前エッジの位置を変化させることで、マークの長さが長くなるほどファーストパルスのパルス幅を広くするようにしている。特に、４Ｔマークから１４Ｔマークまで適宜グループに分けて段階的にファーストパルスのパルス幅を広くしていくのが好ましい。
特に、このようなファーストパルスのパルス幅を広くするという記録方法は、上述のタイプ１及びタイプ２のいずれの構造の光記録媒体に適用しても、ジッタを低減するという効果が得られる。
【０１１３】
なお、ファーストパルスの後エッジを移動させることは好ましくない。後エッジを移動させた場合、レーザの照射開始が遅れることになるため、マークの形成開始が遅れてしまう。これにより、ジッタに悪影響を与えることとなるからである。
また、図４（Ｃ）に示すように、形成したいマークの長さに合わせて、図３のラストパルスの後エッジを移動させて（ｄＴｌｐだけシフトさせる）、ラストパルスのパルス幅Ｔｌｐを狭くする（記録用レーザ光の照射時間を短くする）のも好ましい。なお、ｄＴｌｐは、基本となるラストパルス（例えば第１記録層への記録の際に用いられる記録パルスストラテジのラストパルス）の後エッジとラストパルスのパルス幅を狭くした場合の後エッジとの時間差である。
【０１１４】
ここでは、マークの長さに応じてラストパルスの後エッジの位置を変化させることで、マークの長さが長くなるほどラストパルスのパルス幅を狭くするようにしている。特に、４Ｔマークから１４Ｔマークまで適宜グループに分けて段階的にラストパルスのパルス幅を狭くするのが好ましい。
記録用レーザ光をある一定時間以上照射してマークを形成する場合、マークの終端領域では、記録層は既に十分な熱量を持っており、その熱を利用してマークを形成することができる。この場合、マーク終端領域に熱量を与えすぎると、不必要に大きなマークが形成されてしまうことになる。よって、マークの後端領域を形成するラストパルスの後エッジを短くすると、マークが広がるのを抑えることができ、ジッタが良くなると考えられる。
【０１１５】
ここでは、マークの長さが長いほど、記録用レーザ光の照射時間が長くなり、余分な熱量が与えられやすく、マークが広がりやすいため、マークの長さが長くなるほどラストパルスのパルス幅を狭くして、マークの長さに応じてマークの形成に必要な熱量が与えられるようにしている。
特に、このようなラストパルスのパルス幅を狭くする記録方法は、上述のタイプ１及びタイプ２のいずれの構造の光記録媒体に適用しても、ジッタを低減するという効果は得られるが、特にタイプ２の光記録媒体に適用すると効果が大きい。
【０１１６】
つまり、本実施形態にかかるタイプ２の光記録媒体では、第２記録層２５のランド部に記録するが、第２記録層２５のランド部の膜厚は薄い。一般に、記録層の膜厚が薄いと、マークの形成に必要な熱量も少なくなり、記録層の感度が上がることとなる。よって、記録感度の良いタイプ２の光記録媒体において、ラストパルスの後エッジ位置を補正して（前に移動させて）パルス幅を狭く（照射時間を短く）することは、不必要なマークの広がりを抑えることができ、特に効果が大きい。
【０１１７】
なお、ファーストパルスの前エッジ位置及びラストパルスの後エッジの位置をどの程度変化させるかについては、光記録媒体の構成や照射するレーザ光のパワーや波長により、適宜、実験的に決められるものであり、一概には言えないが、一般にファーストパルスの前エッジ位置の移動幅は、ファーストパルスのパルス幅の５％以上、５０％以下であり、ラストパルスの後エッジ位置の移動幅は、ラストパルスのパルス幅の５％以上、５０％以下である。
【０１１８】
さらに、図４（Ｄ）に示すように、ラストパルスに対応する記録用レーザ光のパルス成分よりもファーストパルスに対応する記録用レーザ光のパルス成分の最大パワーを大きくするのも好ましい。
上述したように、マークの始端領域を形成するには最初にある程度の熱量が必要となる。しかし、照射する記録レーザ全体の照射パワーを増加させた場合、不必要な熱量をも与えることとなり、マークが広がってしまうこととなる。よって、ファーストパルスに対応する記録用レーザ光のパルス成分の最大パワーを上げて瞬間的に大きな熱量を与え、即ち、マークの始端領域の形成開始に必要な初期熱量のみを上げて、マークを形成するのが好ましい。
【０１１９】
なお、このように、ファーストパルスに対応する記録用レーザ光のパワーを、マルチパルスやラストパルスに対応する記録用レーザ光のパワーよりも大きくする場合（これをＰｏｗｅｒｅｄという）、ファーストパルス，マルチパルス及びラストパルスに対応する記録用レーザ光のパワーを同一にする場合よりも、マルチパルスやラストパルスに対応する記録用レーザ光のパワーを下げることができるため、全体として、記録用レーザ光のパワーを下げることができることになる。これは、ファーストパルスに対応して照射される記録用レーザ光のパワーを上げると、瞬間的に大きな熱量が与えられ、与えられた熱量が記録層を伝導するため、マルチパルスやラストパルスに対応する記録用レーザ光のパワーを下げることが可能になると考えられる。
【０１２０】
ここで、ファーストパルスに対応する記録用レーザのパルス成分とラストパルス（又はマルチパルス）に対応する記録用レーザのパルス成分のパワーの差としては、ファーストパルスに対応する記録用レーザのパルス成分のパワーを、ラストパルス（又はマルチパルス）に対応する記録用レーザのパルス成分のパワーよりも５％以上、好ましくは１０％以上大きくするのが好ましい。この値以上であれば、マークの形成を遅らせること無く、効果的にマークの始端領域を形成することが出来るからである。
【０１２１】
また、その差は３０％以下、好ましくは２０％以下であることが好ましい。あまり差を付けてしまうと、マーク長が長くなるにつれてマークの始端領域と後端領域の形状がアンバランスとなり、また、モジュレーションが低下するなど再生特性が悪くなってしまうからである。
特に、このようにファーストパルスに対応して照射される記録用レーザ光のパワーを上げる記録方法は、上述のタイプ１及びタイプ２のいずれの構造の光記録媒体に適用しても、ジッタを低減するという効果は得られるが、特にタイプ２の光記録媒体に適用すると効果が大きい。
【０１２２】
つまり、本実施形態にかかるタイプ２の光記録媒体では、第２記録層２５のランド部に記録するが、第２記録層２５のランド部の膜厚は薄い。一般に、記録層の膜厚が薄いと、マークの形成に必要な熱量も少なくなり、記録層の感度が上がることとなる。よって、記録感度の良いタイプ２の光記録媒体において、ファーストパルスに対応して照射される記録用レーザ光のパワーを上げることは、不必要なマークの広がりや隣のトラックへの信号の漏れこみを抑えることができ、特に効果が大きい。
【０１２３】
なお、本発明の片面側から記録レーザを照射して複数の記録層に対して情報信号となるマークを形成する光記録媒体の記録方法において、必ずしも上記の記録方法の全てを用いる必要はなく、所望の再生特性が得られるように、これらの記録方法を適宜組み合わせて記録すればよい。
一般に、デュアルレイヤ媒体の第１記録層にマークを形成する場合は、ファーストパルスの前エッジ及びラストパルスの後エッジを補正すると十分な再生特性を得られることが多い。
【０１２４】
特に、タイプ１のデュアルレイヤ媒体の第２記録層にマークを形成する場合は、ファーストパルスの前エッジを補正するだけで十分な再生特性を得られることが多い。一方、タイプ２のデュアルレイヤ媒体の第２記録層にマークを形成する場合は、ファーストパルスの前エッジを補正する記録方法と、ラストパルスの後エッジを補正する記録方法と、ラストパルス（又はマルチパルス）に対応する記録用レーザのパルス成分よりもファーストパルスに対応する記録用レーザのパルス成分の最大パワーを大きくする記録方法とを組み合わせて記録すると十分な再生特性が得られやすい。
【０１２５】
また、本発明では５Ｔ以上のマークを形成する際に、マルチパルスレーザ（マルチパルスに対応する記録用レーザ）を照射しているが、マルチパルスレーザのパルス幅等も適宜変化させても良い。
したがって、本実施形態にかかる光記録媒体の記録方法によれば、片面側からレーザ光を照射して複数の記録層に対して情報の記録又は再生を行なう光記録媒体に、マークの始端領域の形成開始、及び終端領域の形成終了を所望のマーク長に合わせて制御できることから、ジッタを低く抑えた良好な再生特性を持つ信号を形成することができるという利点がある。また、本発明によれば、記録パワーが変動したとしても安定して信号を形成することができるという利点もある。
【０１２６】
また、本実施形態にかかる光記録媒体の記録方法によれば、第２記録層にパルス状の記録用レーザ光を照射してマークを形成する場合、アシンメトリの値が所望の範囲内になるように［ここではモジュレーションの値も所望の値以上（例えば０．６以上）になるように］記録レーザ光のパワーを調整するとともに、マークの長さに応じてマークの始端領域を形成するためのファーストパルスのパルス幅又はマークの終端領域を形成するためのラストパルスのパルス幅を変化させるため、アシンメトリの値が所望の範囲内（例えば０付近）になるように［ここではモジュレーションの値も所望の値以上（例えば０．６以上）になるように］しながら、ジッタを所定値（例えば９％）以下に低減させることができる。
【０１２７】
この場合、アシンメトリの値が所望の範囲内（例えば０付近）となり［ここではモジュレーションの値も所望の値以上（例えば０．６以上）となり］、ジッタが所定値以下（例えば９％以下）になる記録レーザ光のパワーのうち最も低いものを選択すれば、記録レーザ光のパワーを低く抑えることができる。
なお、上述の実施形態では、記録用レーザ光の入射側（第１基板側）から遠い側に位置する記録層（第２記録層）にマークを形成する場合の記録方法について説明したが、記録用レーザ光の入射側（第１基板側）に近い側に位置する記録層（第１記録層）にマークを形成するには、例えば片面型ＤＶＤ−Ｒや両面型ＤＶＤ−Ｒのようなレーザ光を基板のみを通して記録層に照射する光記録媒体と同様の記録パルスストラテジを用いれば良い。
【０１２８】
但し、例えば複数の記録層を有し、片面側からレーザ光を照射することでそれぞれの記録層に情報の記録又は再生を行なうことができる片面入射型光記録媒体の場合、第１記録層への記録には半透明反射層が用いられるため、この半透明反射層の影響を考慮すると、第１記録層にマークを形成するとき［即ち、他の記録層を介さずに（記録用レーザ光の入射側に最も近い側に位置する記録層に）パルス状の記録用レーザ光を照射してマークを形成するとき］にも、マークの長さに応じてマークの始端領域を形成するためのファーストパルスの前エッジの位置（ファーストパルスのパルス幅）及び／又はマークの終端領域を形成するためのラストパルスの後エッジの位置（ラストパルスのパルス幅）を変化させるのが好ましい。
【０１２９】
具体的には、マークの長さが長くなるほどマークの始端領域を形成するためのファーストパルスのパルス幅を広くするのが好ましい。特に、４Ｔマークから１４Ｔマークまで適宜グループに分けて段階的にファーストパルスのパルス幅を広くしていくのが好ましい。
また、マークの長さが長くなるほどマークの終端領域を形成するためのラストパルスのパルス幅を狭くするのが好ましい。特に、４Ｔマークから１４Ｔマークまで適宜グループに分けて段階的にラストパルスのパルス幅を狭くするのが好ましい。
【０１３０】
このように、第１記録層に（他の記録層を介さずに）パルス状の記録用レーザ光を照射してマークを形成する場合に、マークの長さに応じてファーストパルスの前エッジの位置及び／又はラストパルスの後エッジの位置を変化させれば、ジッタを低減させることができる。
この場合、アシンメトリの値が所望の範囲内（例えば０付近）になるように［ここではモジュレーションの値も所望の値以上（例えば０．６以上）になるように］記録レーザ光のパワーを調整するのが好ましい。
【０１３１】
このように、アシンメトリの値が所望の範囲内になるように［ここではモジュレーションの値も所望の値以上（例えば０．６以上）になるように］記録レーザ光のパワーを調整するとともに、マークの長さに応じてマークの始端領域を形成するためのファーストパルスのパルス幅を変化させることで、アシンメトリの値が所望の範囲内（例えば０付近）になるように［ここではモジュレーションの値も所望の値以上（例えば０．６以上）になるように］しながら、ジッタを所定値（例えば９％）以下に低減させることができる。
【０１３２】
この場合、ジッタが所定値以下になる記録レーザ光のパワーのうち最も低いものを選択すれば、記録レーザ光のパワーを低く抑えることができる。
なお、ここでは、色素含有記録層を含む追記型光記録媒体（ここではＤＶＤ−Ｒ，ＤＶＤ＋Ｒ）について説明したが、光記録媒体はこれに限られるものではなく、片面側からのレーザ光の照射により情報を記録又は再生しうる複数の記録層を備える光記録媒体であれば良い。例えば、記録層として例えば結晶状態の部分を未記録状態・消去状態とし、非晶質状態の部分を記録状態とする相変化型記録層を含む書換型光記録媒体（例えばＤＶＤ−ＲＷ，ＤＶＤ＋ＲＷ，ＤＶＤ−ＲＡＭなど）や記録層として磁性記録層を含む光磁気型の光記録媒体であっても良い。
【０１３３】
また、ここでは、本発明を、片面側からのレーザ光の照射により情報を記録又は再生しうる２つの記録層を備える光記録媒体に適用する場合について説明したが、これに限られるものではなく、例えば３層以上の記録層を備え、片面側からのレーザ光の照射により情報を記録又は再生しうる光記録媒体に適用することもできる。
【０１３４】
また、本実施形態では、光記録媒体の記録方法について説明したが、この記録方法に基づいて設定される記録パルスストラテジ（ライトストラテジ）は、例えば光記録媒体の記録装置に搭載される。
つまり、光記録媒体の記録装置（ドライブ，ライタ）は、光記録媒体を回転駆動するスピンドルモータと、例えばレーザダイオード（ＬＤ）などの半導体レーザ（レーザ光源），ビームスプリッタ，対物レンズ，例えばフォトダイオード（ＰＤ）などの光検出器を含む光ピックアップと、半導体レーザを駆動するレーザドライバ（駆動部；例えば駆動回路）と、記録しようとするデータに基づいてレーザドライバに対して出力するパルス（信号）の制御［記録用レーザ光のパワー変調制御（マルチパルス変調制御）］を行なう記録パルスストラテジ回路（記録パルスストラテジ制御部）と、各デバイスに対する制御を行なう制御演算部［例えばＣＰＵやメモリ（記憶部）を含む］とを備えて構成される。なお、記録パルスストラテジ回路と制御演算部とを合わせて記録用レーザ制御部という。
【０１３５】
そして、制御演算部に記録命令（書込命令）が入力されると、制御演算部が制御信号を出力し、記録パルスストラテジ回路でパワー変調制御された信号に基づいてレーザドライバが半導体レーザを駆動する。これにより、半導体レーザからビームスプリッタ，対物レンズなどを介して光記録媒体の所望の記録層にレーザ光（記録光）を照射し、データ記録が行なわれるようになっている。
【０１３６】
このため、記録用レーザ制御部を構成する記録パルスストラテジ回路に、上述の記録方法に基づいて決められた記録パルスストラテジ（記録パルス変調パターン）を設定すれば良い。これにより、記録パルスストラテジ回路に設定された記録パルスストラテジに基づいてパワー変調制御が行なわれ、これに基づいて半導体レーザから記録用レーザ光が照射され、所望のマークが形成されて情報が記録されることになる。
【０１３７】
なお、本発明は上記の実施形態に限定されるものではなく、本発明の趣旨を逸脱しない範囲で種々変形して実施することができる。
【０１３８】
【実施例】
以下に実施例を示すが、本発明はその要旨を越えない限り、以下の実施例に限定されるものではない。なお、実施例中の％は、特に断らない限り総て重量基準である。
（光記録媒体の作製）
本実施例ではタイプ１とタイプ２の２つのタイプの光記録媒体を作製した。
【０１３９】
まず、タイプ１の光記録媒体は、以下のようにして作製した。
Ｎｉスタンパを用いて、ポリカーボネートを射出成形して、溝ピッチ０．７４μｍ、溝幅０．３μｍ、溝深さ１３０〜１７０ｎｍのランド及びプリピットを有する直径１２０ｍｍ、厚さ０．６ｍｍの第１の基板を作製した。次に、含金属アゾ色素の０．２％オクタフルオロペンタノール溶液を第１の基板上にスピンコート法により塗布し、１００℃で３０分間加熱処理して第１の記録層を形成した（最大吸収波長（λｍａｘ）約６００ｎｍ）。次に、Ａｇを９７原子％以上含むＡｇ合金を１５〜２０ｎｍの厚さにスパッタリングし、透過率４０％以上の第１反射層を形成した。以上により第１情報記録基板を作製した。
【０１４０】
次に、この第１反射層の上に、紫外線硬化性樹脂を、厚さ２５〜４０μｍにそれぞれ塗布し、予め作製した樹脂スタンパを凹凸面を第１の基板側に向けて載置し、続いて、樹脂スタンパ側から紫外線を照射し、紫外線硬化性樹脂が硬化した後、樹脂スタンパを剥離して、第１基板と同様に、溝ピッチ０．７４μｍ、溝幅０．３μｍ、溝深さ１３０〜１７０ｎｍのランド及びプリピットを形成した。
【０１４１】
次に、中間層の上に、第１の記録層に使用したのと同じ含金属アゾ色素の０．２％オクタフルオロペンタノール溶液をスピンコート法により塗布し、１００℃で３０分間加熱処理して第２の記録層を形成した後、Ａｇを９７原子％以上含むＡｇ合金を１００〜１５０ｎｍの厚さにスパッタリングし、第２の反射層を形成し、この上に、紫外線硬化性樹脂からなる厚さ５〜１０μｍの保護層を設け、さらに、この保護層上に、紫外線硬化性樹脂からなる接着剤（日本化薬製ＤＶＤ５７６Ｍ）を、厚さ４０〜７０μｍに塗布し、予め作製した、直径１２０ｍｍ、厚さ０．６ｍｍのポリカーボネート製の第２の基板を載置し、続いて、第２の基板側から紫外線を照射して、接着層を硬化させてタイプ１の光記録媒体を作製した。
【０１４２】
一方、タイプ２の光記録媒体は、以下のようにして作製した。
Ｎｉスタンパを用いて、ポリカーボネートを射出成形して、溝ピッチ０．７４μｍ、溝幅３５０ｎｍ、溝深さ３０〜７０ｎｍのランド及びプリピットを有する直径１２０ｍｍ、厚さ０．６ｍｍの第１の基板を作製した。次に、Ａｇを９７原子％以上含むＡｇ合金を１００ｎｍの厚さにスパッタリングし、第２反射層を形成した。次に、含金属アゾ色素の０．２％オクタフルオロペンタノール溶液を第２反射層上にスピンコート法により塗布し、１００℃で３０分間加熱処理して第２の記録層を形成した（最大吸収波長（λｍａｘ）約６００ｎｍ）。次に、この第２色素含有記録層上に、Ａｇを含む９７％以上含む銀合金をスパッタしてバッファー層を形成し、その上に紫外線樹脂（日本化薬製ＳＰＣ−９２０）を膜厚約５〜７ｕｍの厚さにスピンコートして、保護層を形成した。
【０１４３】
そして、この保護層上に、ラジカル系紫外線硬化樹脂（接着剤）（日本化薬製ＤＶＤ５７６Ｍ）をスピンコートして塗布し、別途製作したタイプ１の光記録媒体の作製に説明した第１情報基板と貼り合わせてタイプ２の光記録媒体を作製した。
（信号記録及び評価方法）
波長６５７ｎｍ（ＮＡ＝０．６５）の半導体レーザを搭載した評価機（パルステック社製ＤＤＵ−１０００、最大記録パワー１５ｍＷ）を用い、記録線速密度３．８ｍ／ｓ、基準クロック周期３８．５ｎｓ（１／２６Ｍｂｐｓ）、８−１６変調のＥＦＭ＋信号を、記録信号のアシンメトリが０付近となる（ここではモジュレーションが０．６以上になる）記録パワーでマーク長３Ｔ〜１４Ｔのマークを記録した。その後記録信号を再生線速密度３．８ｍ／ｓ、再生パワー０．７ｍＷで信号を再生し、マーク長３Ｔ〜１４Ｔのマークの再生信号のジッタ（信号のずれ）の平均値を測定した。
（実施例１）
上述のようにして作製したタイプ１の光記録媒体の第１記録層に、表１に示す記録パルスストラテジに従い、ファーストパルスとラストパルスをマークの長さに合わせて変化させて信号を記録し、その後信号を再生して再生信号のジッタを測定した。ジッタ（縦軸）と記録用レーザのパワー（横軸）を測定した測定結果を図５に示す。
【０１４４】
【表１】
2005071396.tif 000004
【０１４５】
（実施例２）
表２に示す記録パルスストラテジに従い、ファーストパルスをマークの長さに合わせて変化させた以外は実施例１と同様に信号を記録し、その後信号を再生して再生信号のジッタを測定した。ジッタ（縦軸）と記録用レーザのパワー（横軸）を測定した測定結果を図５に示す。
【０１４６】
【表２】
2005071396.tif 000005
【０１４７】
（実施例３）
表３に示す記録パルスストラテジに従い、ラストパルスをマークの長さに合わせて変化させた以外は実施例１と同様に信号を記録し、その後信号を再生して再生信号のジッタを測定した。ジッタ（縦軸）と記録用レーザのパワー（横軸）を測定した測定結果を図５に示す。
【０１４８】
【表３】
2005071396.tif 000006
【０１４９】
（実施例４）
タイプ１の光記録媒体の第２記録層に、表４に示す記録パルスストラテジに従い、ファーストパルスをマークの長さに合わせて変化させて信号を記録し、その後信号を再生して再生信号のジッタを測定した。ジッタ（縦軸）と記録用レーザのパワー（横軸）を測定した測定結果を図６に示す。
【０１５０】
【表４】
2005071396.tif 000007
【０１５１】
（実施例５）
タイプ２の光記録媒体の第２記録層に、表５に示す記録パルスストラテジに従いファーストパルスとラストパルスをマークの長さに合わせて変化させた以外は実施例１と同様に信号を記録し、その後信号を再生して再生信号のジッタを測定した。ジッタ（縦軸）と記録用レーザのパワー（横軸）を測定した測定結果を図７及び図８に示す。
【０１５２】
【表５】
2005071396.tif 000008
【０１５３】
（実施例６）
表６に示す記録パルスストラテジに従い、ファーストパルスをマークの長さに合わせて変化させた以外は実施例５と同様に信号を記録し、その後信号を再生して再生信号のジッタを測定した。ジッタ（縦軸）と記録用レーザのパワー（横軸）を測定した測定結果を図７に示す。
【０１５４】
【表６】
2005071396.tif 000009
【０１５５】
（実施例７）
表７に示す記録パルスストラテジに従い、ラストパルスをマークの長さに合わせて変化させた以外は実施例５と同様に信号を記録し、その後信号を再生して再生信号のジッタを測定した。ジッタ（縦軸）と記録用レーザのパワー（横軸）を測定した測定結果を図７に示す。
【０１５６】
【表７】
2005071396.tif 000010
【０１５７】
（実施例８）
表８に示す記録パルスストラテジに従い、ファーストパルスに対応する記録用レーザーのパルス成分のパワーを１０％上げた以外は実施例５と同様に信号を記録し、その後信号を再生して再生信号のジッタを測定した。ジッタ（縦軸）と記録用レーザのパワー（横軸）を測定した測定結果を図８に示す。なお、図８の横軸の記録用レーザのパワーはラストパルスのパワー値を示している。
【０１５８】
【表８】
2005071396.tif 000011
【０１５９】
（実施例９）
表９に示す記録パルスストラテジに従い、ファーストパルスに対応する記録用レーザのパルス成分のパワーを２０％上げた以外は実施例５と同様に信号を記録し、その後信号を再生して再生信号のジッタを測定した。ジッタ（縦軸）と記録用レーザのパワー（横軸）を測定した測定結果を図８に示す。なお、図８の横軸の記録用レーザのパワーはラストパルスのパワー値を示している。
【０１６０】
【表９】
2005071396.tif 000012
【０１６１】
（比較例１）
表１０に示す従来技術の記録パルスストラテジに従いファーストパルス、ラストパルスをマークの長さに合わせて変化させることなく、実施例１と同様に信号を記録し、その後信号を再生して再生信号のジッタを測定した。測定結果を図５に示す。
【０１６２】
【表１０】
2005071396.tif 000013
【０１６３】
（比較例２）
表１１に示す従来技術の記録パルスストラテジに従いファーストパルス、ラストパルスをマークの長さに合わせて変化させることなく、実施例４と同様に信号を記録し、その後信号を再生して再生信号のジッタを測定した。測定結果を図６に示す。
【０１６４】
【表１１】
2005071396.tif 000014
【０１６５】
（比較例３）
表１２に示す従来技術の記録パルスストラテジに従いファーストパルス、ラストパルスをマークの長さに合わせて変化させることなく、実施例５と同様に信号を記録し、その後信号を再生して再生信号のジッタを測定した。測定結果を図７に示す。
【０１６６】
【表１２】
2005071396.tif 000015
【０１６７】
（まとめ）
図５は、タイプ１の光記録媒体の第１記録層に信号を記録した際の記録用レーザのパワー及び再生信号のジッタの関係を示す図である。
図５を見ると明らかなように、ファーストパルスとラストパルスを変化させた実施例１では、何も変化させない比較例１と比べてジッタが改善されている。また、実施例１では記録パワーが変化してもジッタの値はさほど変動せず、低い値で安定している。よって、記録用レーザのパワー変動に対するマージンが大きく、安定して信号の記録を行なうことが出来る。
【０１６８】
また、ファーストパルスのみを変化させた実施例２及びラストパルスのみを変化させた実施例３においても、比較例１と比べてジッタが改善され、また記録用レーザのパワー変動に対するマージンが大きくなっており、本発明の効果が証明されている。
図６は、タイプ１の光記録媒体の第２記録層に信号を記録した際の記録用レーザのパワー及び再生信号のジッタの関係を示す図である。
【０１６９】
図６を見ると明らかなように、ファーストパルスを変化させた実施例４では、何も変化させない比較例２と比べてジッタが改善されている。また、実施例４では記録パワーが変化してもジッタの値はさほど変動せず、低い値で安定している。よって、記録用レーザのパワー変動に対するマージンが大きく、安定して信号の記録を行なうことが出来る。
【０１７０】
図７は、タイプ２の光記録媒体の第２記録層に信号を記録した際の記録用レーザのパワー及び再生信号のジッタの関係を示す図である。
図７を見ると明らかなように、ファーストパルスとラストパルスを変化させた実施例５では、何も変化させない比較例３と比べてジッタが改善されている。また、実施例５では比較例３と比べて、ジッタを低く抑えることができる最適記録パワー付近でのジッタの変動が小さく、記録用レーザのパワー変動に対するマージンが大きく、安定して信号の記録を行なうことが出来る。
【０１７１】
また、ファーストパルスのみを変化させた実施例６及びラストパルスのみを変化させた実施例７においても、比較例３と比べジッタが改善され、また記録用レーザのパワー変動に対するマージンが大きくなっている。
図８は、タイプ２の光記録媒体の第２記録層に信号を記録した際にファーストパルスに対応する記録用レーザのパルス成分のパワーを変化させた場合の記録用レーザのパワー及び再生信号のジッタの関係を示す図である。
【０１７２】
図８を見ると明らかなように、ファーストパルスに対応する記録用レーザのパルス成分のパワーを１０％上げた実施例８及びパワーを２０％上げた実施例９は、何もパワーを変化させていない実施例５と比べてジッタが改善されている。
【０１７３】
【発明の効果】
本発明の光記録媒体の記録方法及び記録装置によれば、片面側からレーザ光を照射して複数の記録層に対して情報の記録又は再生を行なう光記録媒体に、マークの始端領域の形成開始、及び終端領域の形成終了を所望のマーク長に合わせて制御できることから、ジッタを低く抑えた良好な再生特性を持つ信号を形成することができるという利点がある。また、本発明によれば、記録パワーが変動したとしても安定して信号を形成することができるという利点もある。
【図面の簡単な説明】
【図１】本発明の一実施形態にかかる光記録媒体（タイプ１）を示す模式的断面図である。
【図２】本発明の一実施形態にかかる光記録媒体（タイプ２）を示す模式的断面図である。
【図３】本発明の一実施形態にかかる光記録媒体の記録方法を説明するための記録パルスストラテジの概略を示す模式図である。
【図４】本発明の一実施形態にかかる光記録媒体の記録方法を表した記録パルスストラテジの概略を示す模式図である。
【図５】本発明の実施例にかかる光記録媒体（タイプ１）の第１記録層に信号を記録した際の記録用レーザのパワー及び再生信号のジッタの関係を示す図である。
【図６】本発明の実施例にかかる光記録媒体（タイプ１）の第２記録層に信号を記録した際の記録用レーザのパワー及び再生信号のジッタの関係を示す図である。
【図７】本発明の実施例にかかる光記録媒体（タイプ２）の第２記録層に信号を記録した際の記録用レーザのパワー及び再生信号のジッタの関係を示す図である。
【図８】本発明の実施例にかかる光記録媒体（タイプ２）の光記録媒体の第２記録層に信号を記録した際にファーストパルスに対応する記録用レーザのパルス成分のパワーを変化させた場合の記録用パワー及び再生信号のジッタの関係を示す図である。
【符号の説明】
１，２１  第１基板（第１の基板）
２，２２  第１記録層（第１の記録層）
３，２３  第１反射層
４  中間樹脂層（中間層）
５，２５  第２記録層（第２の記録層）
６，２６  第２反射層
７  接着層
８，２７  第２基板（第２の基板）
２８  バッファー層
１１，１２，３１凸部からなる記録トラック
２４  透明接着層（中間層）
３２  凹部からなる記録トラック
【図１】
2005071396.tif 000016
【図２】
2005071396.tif 000017
【図３】
2005071396.tif 000018
【図４】
2005071396.tif 000019
【図５】
2005071396.tif 000020
【図６】
2005071396.tif 000021
【図７】
2005071396.tif 000022
【図８】
2005071396.tif 000023